(57)【要約】【課題】歩行者や自転車の通行に支障を来すことなく、天候に左右されない良好な作業環境を確保すること。【解決手段】防水性を有する材料によって形成されたシート状をなす天幕部材１１０を、第１の支柱１２０、第２の支柱１３０、第３の支柱１４０によって支持する作業用テント１００を構成し、路上機器５００の筐体５０１を作業用テント１００の躯体の一部として利用することにより、過剰に大きな設置場所を確保することなく、雨天時などに際しての路上機器５００に対する作業に十分な空間を確保することができるようにした。【選択図】図５
2020012231.tif 000002
【特許請求の範囲】
【請求項１】
防水性を有する材料によって形成されたシート状をなす天幕部材と、
棒形状をなし、一端が前記天幕部材に連結され、他端が路上機器の筐体天面上に設置される第１の支柱と、
棒形状をなし、一端が前記天幕部材に連結され、他端に前記路上機器の扉と係合する係合部を備えた一対の第２の支柱と、
前記第１の支柱および前記第２の支柱より長い棒形状をなし、一端が前記第２の支柱を間にして前記第１の支柱とは反対側において前記天幕部材に連結された第３の支柱と、
を備えたことを特徴とする作業用テント。
【請求項２】
前記第１の支柱、前記第２の支柱および前記第３の支柱の少なくともいずれか一つは、長さ寸法の調整が可能であることを特徴とする請求項１に記載の作業用テント。
【請求項３】
前記第１の支柱の他端に設けられた永久磁石を備えたことを特徴とする請求項１または２に記載の作業用テント。
【発明の詳細な説明】
【技術分野】
【０００１】
この発明は、路上機器に対する作業に用いる作業用テントに関する。
【背景技術】
【０００２】
配電線の地中化に際して必要な設備である多回路開閉器や地上用変圧器などの路上機器に対して雨天時に作業をおこなう場合、路上機器の筐体内に雨が入らないように、扉を開けた状態の路上機器をブルーシートや市販品のテントによって覆うことによって雨よけを施している。路上機器の扉は、歩道側に向けて開放される。
【０００３】
具体的には、たとえば、ブルーシートは、扉を開放した状態の路上機器を筐体の天面および扉を上から覆うように取り付ける。また、具体的には、たとえば、市販品のテントは、扉を開放した状態の路上機器全体を覆う位置に設置する。
【０００４】
関連する技術として、従来、たとえば、キャビネットの上部に取り付けられたテント収納ボックスと、テント収納ボックスの内部に引き出し自在に収納されたシート体と、テント収納ボックス内部に軸支されてシート体の展開及び収縮をガイドするアジャスタフレームと、を備えた作業用テントに関する技術があった（たとえば、下記特許文献１を参照）。
【０００５】
また、関連する技術として、従来、たとえば、土地盤上に立設した１本の主柱の頂部から放射状に配置された少なくとも３本の主柱ロープと、主柱に挿通されたリング体と、頂点部分に設けた円孔をリング体の外周に接合した山形状のシートと、リング体からシートの稜線に沿って放射状に配置されたテント支持ロープと、主柱ロープとテント支持ロープのそれぞれの下端を地盤に結合するアンカー基礎と、リング体の昇降装置とから構成される土木工事用テント式屋根ならびにその架設方法に関する技術があった（たとえば、下記特許文献２を参照）。
【先行技術文献】
【特許文献】
【０００６】
【特許文献１】特開２０００−２７４１１６号公報
【特許文献２】特開平６−１２３１７４号公報
【発明の概要】
【発明が解決しようとする課題】
【０００７】
しかしながら、上述したようにブルーシートを用いて雨よけを施す従来の技術は、作業空間が狭くなり、作業性に劣るという問題があった。一方、市販品のテントを用いる場合、路上機器全体を覆うサイズのテントを用いると作業区画が大きくなり、歩行者や自転車の通行の妨げになってしまうという問題があった。
【０００８】
また、上述した特許文献１に記載された従来の技術は、作業空間の他にキャビネットなどを設置するスペースが必要であるため、歩行者や自転車の通行の支障になるおそれがあるという問題があった。また、上述した特許文献２に記載された従来の技術は、現場打ちのコンクリートや厚鋼板などによる主柱基礎やアンカー基礎が必要であり、テントを張っていない状態でも地面からの突出物が残存するため、歩行者や自転車の通行の支障になるおそれがあるという問題があった。
【０００９】
この発明は、上述した従来技術による問題点を解消するため、歩行者や自転車の通行に支障を来すことなく、天候に左右されない良好な作業環境を確保することができる作業用テントを提供することを目的とする。
【課題を解決するための手段】
【００１０】
上述した課題を解決し、目的を達成するため、この発明にかかる作業用テントは、防水性を有する材料によって形成されたシート状をなす天幕部材と、棒形状をなし、一端が前記天幕部材に連結され、他端が路上機器の筐体天面上に設置される第１の支柱と、棒形状をなし、一端が前記天幕部材に連結され、他端に前記路上機器の扉と係合する係合部を備えた一対の第２の支柱と、前記第１の支柱および前記第２の支柱より長い棒形状をなし、一端が前記第２の支柱を間にして前記第１の支柱とは反対側において前記天幕部材に連結された第３の支柱と、を備えたことを特徴とする。
【００１１】
また、この発明にかかる作業用テントは、上記の発明において、前記第１の支柱、前記第２の支柱および前記第３の支柱の少なくともいずれか一つが、長さ寸法の調整が可能であることを特徴とする。
【００１２】
また、この発明にかかる作業用テントは、上記の発明において、前記第１の支柱の他端に設けられた永久磁石を備えたことを特徴とする。
【発明の効果】
【００１３】
この発明にかかる作業用テントによれば、歩行者や自転車の通行に支障を来すことなく、天候に左右されない良好な作業環境を確保することができるという効果を奏する。
【図面の簡単な説明】
【００１４】
【図１】この発明にかかる実施の形態の作業用テントの構成を示す説明図（その１）である。
【図２】この発明にかかる実施の形態の作業用テントの構成を示す説明図（その２）である。
【図３】この発明にかかる実施の形態の作業用テントの構成を示す説明図（その３）である。
【図４】この発明にかかる実施の形態の作業用テントの構成を示す説明図（その４）である。
【図５】この発明にかかる実施の形態の作業用テントの設置例を示す説明図（その１）である。
【図６】この発明にかかる実施の形態の作業用テントの設置例を示す説明図（その２）である。
【図７】この発明にかかる実施の形態の作業用テントの設置例を示す説明図（その３）である。
【図８】この発明にかかる実施の形態の作業用テントの設置例を示す説明図（その４）である。
【図９】この発明にかかる実施の形態の作業用テントの別の構成を示す説明図である。
【図１０】この発明にかかる実施の形態の作業用テントの別の設置例を示す説明図である。
【発明を実施するための形態】
【００１５】
以下に添付図面を参照して、この発明にかかる作業用テントの好適な実施の形態を詳細に説明する。
【００１６】
（作業用テントの構成）
まず、この発明にかかる実施の形態の作業用テントの構成について説明する。図１〜図４は、この発明にかかる実施の形態の作業用テントの構成を示す説明図である。
【００１７】
図１においては、この発明にかかる実施の形態の作業用テントの斜視状態を示している。図２においては、図１におけるＡ矢視図を示している。図３においては、図１におけるＢ矢視図を示している。図４においては、図１におけるＣ矢視図を示している。
【００１８】
図１〜図４において、この発明にかかる実施の形態の作業用テント１００は、天幕部材１１０と、第１の支柱１２０と、第２の支柱１３０と、第３の支柱１４０と、を備えている。天幕部材１１０は、シート形状をなし、防水性を有する材料によって形成されている。具体的には、天幕部材１１０は、たとえば、ポリエステル、ナイロン、シルナイロンなどの繊維をタフタ織りにすることによって形成される、いわゆるテント生地によって実現することができる。
【００１９】
また、天幕部材１１０は、ポリエチレン、ウレタンなどの合成樹脂製のシート状部材によって実現することができる。また、天幕部材１１０は、ゴムなどを用いて形成されていてもよく、綿などの材料を用いて形成されていてもよい。さらに、天幕部材１１０は、繊維を織ることによって形成されたシート状部材に限らず、平らで薄く成型されたシート状部材によって実現してもよい。
【００２０】
天幕部材１１０は、台形状のシート状部材によって実現することができる。台形状のシート状部材によって実現される天幕部材１１０は、短辺（上底に相当する辺）の寸法が、路上機器（図５〜図８を参照）の幅方向の寸法と同等以上であって、長辺（下底に相当する辺）の寸法が、短辺の寸法よりも長い台形状をなす。
【００２１】
天幕部材１１０は、長方形あるいは正方形のシート状部材によって実現してもよい。この場合、長方形の短辺あるいは正方形の１辺の寸法を、路上機器の幅方向の寸法と同等以上とする。天幕部材１１０の短辺（あるいは１辺）の寸法を、路上機器の幅方向の寸法と同等以上とすることにより、路上機器を確実に覆い、筐体内の機器に雨が当たることを確実に防止することができる。
【００２２】
第１の支柱１２０は、棒形状をなし、長さ方向における一端が天幕部材１１０に連結されている。第１の支柱１２０は、たとえば、プラスチックなどと称される合成樹脂を用いて形成することができる。また、第１の支柱１２０は、アルミニウムなどの金属材料を用いて形成してもよい。
【００２３】
第１の支柱１２０は、円柱形状であってもよく、角柱形状であってもよい。また、第１の支柱１２０は、円筒形状や角筒形状などの筒形状であってもよい。第１の支柱１２０を筒形状とすることにより、作業用テント１００の軽量化を図ることができる。
【００２４】
第１の支柱１２０は、天幕部材１１０がなす台形における上底と脚部とによって形成される角部にそれぞれ設けられている。第１の支柱１２０は、天幕部材１１０に対して取り外し可能に取り付けられていてもよい。これにより、作業用テント１００の不使用時などに第１の支柱１２０を取り外して、作業用テント１００の運搬や保管などにかかるスペースを小さく抑えることができる。
【００２５】
第１の支柱１２０の長さ方向における他端には、フランジ１２１が設けられている。フランジ１２１を設けることにより、路上機器の天板上に設置される第１の支柱１２０と天板との接触面積を確保し、第１の支柱１２０を安定して設置することができる。
【００２６】
フランジ１２１において、天幕部材１１０とは反対側には、磁石２０１が設けられている。磁石２０１は、磁場を除いても磁化が残存する強磁性体によって形成される、いわゆる、永久磁石２０１によって実現することができる。磁石２０１は、フランジ１２１における天幕部材１１０とは反対側の面の全体に設けられていてもよく、分割して複数設けられていてもよい。
【００２７】
第２の支柱１３０は、棒形状をなし、長さ方向における一端が、棟木部材１３１を介して天幕部材１１０に連結されている。棟木部材１３１は、第２の支柱１３０の間に架け渡されている。棟木部材１３１は、たとえば、アルミニウム製のパイプなど、軽量であって、かつ、所定の硬度を備えた材料によって形成することができる。棟木部材１３１をアルミニウムなどの軽量な材料を用いて形成することにより、天幕部材１１０を一定形状に張り渡すとともに、作業用テント１００の軽量化を図ることができる。
【００２８】
第２の支柱１３０は、天幕部材１１０に直接連結されていてもよい。第２の支柱１３０の長さ寸法は、たとえば、第１の支柱１２０の長さ寸法よりも長くする。第２の支柱１３０は、第１の支柱１２０と同様に、たとえば、プラスチックなどと称される合成樹脂を用いて形成することができる。また、第２の支柱１３０は、アルミニウムなどの金属材料を用いて形成してもよい。
【００２９】
第２の支柱１３０は、円柱形状であってもよく、角柱形状であってもよい。第２の支柱１３０の形状は、第１の支柱１２０と同じであってもよく、異なっていてもよい。また、第２の支柱１３０は、円筒形状や角筒形状などの筒形状であってもよい。第２の支柱１３０を筒形状とすることにより、作業用テント１００の軽量化を図ることができる。
【００３０】
第２の支柱１３０は、天幕部材１１０に対して取り外し可能に取り付けられていてもよい。これにより、作業用テント１００の不使用時などに第２の支柱１３０を取り外して、作業用テント１００の運搬や保管などにかかるスペースを小さく抑えることができる。
【００３１】
第２の支柱１３０は、天幕部材１１０がなす台形における一対の脚部のそれぞれに設けられている。第２の支柱１３０の長さ方向における他端には、係合部１３２が設けられている。係合部１３２は、天幕部材１１０とは反対側を開放する、略「コ」の字形状をなす。
【００３２】
係合部１３２は、たとえば、板金部材を折り曲げ加工することによって形成することができる。一体の板金部材を折り曲げ加工することによって係合部１３２を形成することにより、係合部１３２の強度を確保することができる。係合部１３２は、第２の支柱１３０の軸心周りに回転可能であってもよい。
【００３３】
係合部１３２は、係合部１３２を路上機器（図５〜図８を参照）の扉に固定するための固定機構（図示を省略する）を備えていてもよい。固定機構は、たとえば、略「コ」の字形状をなす係合部１３２において対向する２面のうちの一方の面に貫通孔を設け、当該貫通孔を貫通するように螺合した蝶ネジ（蝶ボルト）などの手回しネジ（ツマミネジ）によって実現することができる。
【００３４】
あるいは、固定機構は、蝶ネジに代えて、たとえば、ローレットネジ（ローレットボルト）やノブネジ（ノブボルト）などの手回しネジによって実現してもよい。手回しネジによって固定機構を実現することにより、工具を用いることなく容易に係合部１３２を路上機器の扉に固定することができる。
【００３５】
第３の支柱１４０は、第１の支柱１２０および第２の支柱１３０の長さ寸法より長い棒形状をなす。第３の支柱１４０は、第１の支柱１２０や第２の支柱１３０と同様に、たとえば、プラスチックなどと称される合成樹脂を用いて形成することができる。また、第３の支柱１４０は、アルミニウムなどの金属材料を用いて形成してもよい。
【００３６】
第３の支柱１４０は、第１の支柱１２０や第２の支柱１３０よりも長く、天幕部材１１０から受ける荷重が大きいため、第１の支柱１２０や第２の支柱１３０よりも外形寸法が大きい棒形状をなしていてもよい。第３の支柱１４０の外形寸法を、第１の支柱１２０や第２の支柱１３０よりも大きくすることにより、天幕部材１１０をより安定して支持することができる。
【００３７】
第３の支柱１４０は、円柱形状であってもよく、角柱形状であってもよい。第３の支柱１４０の形状は、第１の支柱１２０と同じであってもよく、異なっていてもよい。また、第３の支柱１４０は、円筒形状や角筒形状などの筒形状であってもよい。第３の支柱１４０を筒形状とすることにより、作業用テント１００の軽量化を図ることができる。
【００３８】
第３の支柱１４０は、円筒あるいは円柱形状であることが好ましい。第３の支柱１４０は、路上機器に対する作業者の背面側に位置するため、円柱形状あるいは円筒形状とすることにより、角柱形状あるいは角筒形状とする場合と比較して、作業中に作業者の背中などが接触した際に作業者に与えるダメージを少なくすることができる。
【００３９】
第３の支柱１４０は、長さ方向における一端が、天幕部材１１０に連結されている。第３の支柱１４０は、第２の支柱１３０を間にして、第１の支柱１２０とは反対側において天幕部材１１０に連結されている。第３の支柱１４０は、天幕部材１１０がなす台形における下底と脚部とによって形成される角部にそれぞれ設けられている。
【００４０】
第３の支柱１４０は、天幕部材１１０に対して取り外し可能に取り付けられていてもよい。これにより、作業用テント１００の不使用時などに第３の支柱１４０を取り外して、作業用テント１００の運搬や保管などにかかるスペースを小さく抑えることができる。
【００４１】
第３の支柱１４０において、天幕部材１１０と連結される一端とは反対側の他端には、押さえ部材１４１が設けられている。押さえ部材１４１は、第３の支柱１４０によって地面に荷重が加えられる面積を広くする。また、押さえ部材１４１は、第３の支柱１４０を安定化するため、錘の機能を果たしてもよい。
【００４２】
図１などに示した抑え部材１４１に代えて、板状部材を、第３の支柱１４０の他端に設けてもよい。このような板状部材によって実現される押さえ部材１４１を設ける場合、当該抑え部材１４１は、第３の支柱１４０の他端に対して回動可能に連結されていてもよい。
【００４３】
具体的には、押さえ部材１４１は、たとえば、自転車のタイヤなどに空気を入れる空気入れ（フートポンプ、フロアポンプ）が備える押さえペダルと同様の構成によって実現することができる。これにより、作業用テント１００の不使用時には、押さえ部材１４１を第３の支柱１４０に沿わせるようにして折りたたむことができるので、作業用テント１００の運搬時など、不使用持における作業用テント１００の小型化を図ることができる。
【００４４】
第３の支柱１４０は、伸縮機構１４２を備えて、長さ方向において伸縮可能に設けられている。伸縮機構１４２は、たとえば、断面が相似形をなす筒状部材を、径の長さにしたがった順で重ね合わせ、径が大きい筒状部材に対して径が小さい筒状部材を長さ方向に沿ってスライドさせる構造、いわゆる、テレスコピック構造とすることによって実現することができる。
【００４５】
伸縮機構１４２は、第３の支柱１４０を伸張させた状態あるいは収縮させた状態で固定する固定機能を備えている。固定機能は、たとえば、コレットチャック機構によって実現することができる。あるいは、固定機能は、たとえば、同心円状に重ね合わされた複数の筒状部材のうちの外側の筒状部材を貫通し、先端が内側の筒状部材に当接するように螺合された蝶ネジなどによって実現してもよい。
【００４６】
コレットチャックや蝶ネジによって固定機能を実現することにより、作業者は、第３の支柱１４０を伸縮させる作業を、工具を用いることなく、手で直接触っておこなうことができる。これにより、作業者が、厚手の絶縁手袋を装着した状態であっても第３の支柱１４０を伸縮させ、任意の長さにおいて固定することができる。
【００４７】
（作業用テント１００の設置例）
つぎに、この発明にかかる実施の形態の作業用テント１００の設置例について説明する。図５〜図８は、この発明にかかる実施の形態の作業用テント１００の設置例を示す説明図である。図５においては、この発明にかかる実施の形態の作業用テント１００および作業用テント１００を設置した路上機器を示している。図６においては、図５におけるＥ矢視図を示している。図７においては、図５におけるＦ矢視図を示している。図８においては、図５におけるＧ矢視図を示している。
【００４８】
図５〜図８に示すように、この発明にかかる実施の形態の作業用テント１００の設置対象となる路上機器５００は、地上に設置される筐体５０１を備えている。筐体５０１は、略箱形状をなし、正面側に開口を備えている。開口には、開口を開放可能に閉じる扉５０２が設けられている。扉５０２は、たとえば、幅方向における中心位置から左右に開く、いわゆる、観音開きの開き戸によって実現することができる。筐体５０１内には、たとえば、開閉器や変圧器などが収容される。
【００４９】
作業用テント１００の設置に際しては、まず、路上機器５００の天面５０１ａ上に第１の支柱１２０を設置する。第１の支柱１２０の先端には磁石２０１が設けられているため、容易かつ迅速に、路上機器５００の天面５０１ａ上に第１の支柱１２０を設置することができる。また、磁石２０１により、設置された第１の支柱１２０の安定性を確保することができる。
【００５０】
つぎに、第３の支柱１４０を設置する。第３の支柱１４０は、路上機器５００の正面側であって、第１の支柱１２０と第３の支柱１４０との間で天幕部材１１０が張られる位置に設置する。これにより、路上機器５００の正面側に天幕部材１１０によって覆われた空間を確保することができる。また、第３の支柱１４０における天幕部材１１０側の端部が、路上機器５００の天面５０１ａ上に設置した第１の支柱１２０における天幕部材１１０側の端部よりも低い位置になるように、第３の支柱１４０の長さ寸法を調整する。
【００５１】
そして、第２の支柱１３０を設置する。第２の支柱１３０の設置に際しては、まず、筐体５０１の扉５０２を開ける。そして、扉５０２の上辺であって蝶番側の位置に、第２の支柱１３０の先端に設けられた係合部１３２を係合させる。係合部１３２が、略「コ」の字形状をなすため、扉５０２の上側から係合部１３２を嵌め込むだけで、容易かつ確実に第２の支柱１３０を設置することができる。
【００５２】
係合部１３２を、第２の支柱１３０の軸心周りに回転可能とすることにより、扉５０２の開き具合に応じて係合部１３２を回転させ、略「コ」の字形状をなす係合部１３２において対向する２面の面方向と扉５０２の面方向とを平行にする。これにより、扉５０２の開き具合にかかわらず、係合部１３２を安定して扉５０２係合させることができる。
【００５３】
第２の支柱１３０は、第１の支柱１２０よりも長さ寸法が大きいため、第２の支柱１３０における天幕部材１１０側の端部は、第１の支柱１２０における天幕部材１１０側の端部および第３の支柱１４０における天幕部材１１０側の端部よりも高い位置に位置づけられる。このため、図６に示すように、作業用テント１００を側方から見た状態において、天幕部材１１０は、第２の支柱１３０の位置においてもっとも高い山形の形状をなす。
【００５４】
第３の支柱１４０の長さ寸法の調整は、第２の支柱１３０を設置した後におこなってもよい。すなわち、第３の支柱１４０は、第２の支柱１３０を設置する前におおよその長さ寸法を調整し、第２の支柱１３０を設置した後に、第２の支柱１３０における天幕部材１１０側の端部の位置にあわせて、長さ寸法を調整してもよい。
【００５５】
第１の支柱１２０よりも第２の支柱１３０の長さ寸法を大きくし、第３の支柱１４０を伸縮構造とすることによって、現場ごとに路上機器５００の筐体５０１の高さ方向の寸法が異なっていても、天幕部材１１０の形状を確実に山形にすることができる。また、第３の支柱１４０を伸縮構造とすることによって、現場ごとに路上機器５００の筐体５０１の高さ方向の寸法が異なっていても、路上機器５００の正面側に確保される作業空間における地面から天幕部材１１０までの高さが作業者の作業に支障を来さない高さになるように調整することができる。これにより、路上機器５００の筐体５０１の高さ方向の寸法にかかわらず、十分な作業空間を確保することができる。
【００５６】
設置した状態における作業用テント１００の形状が、側方から見た状態において上記のような山形の形状となるようにすることにより、降雨が天幕部材１１０上に溜まることを回避し、斜面を利用して降雨を地面に流すことができる。これにより、天幕部材１１０に過剰な荷重がかかることを抑制し、作業用テント１００を安定して設置しておくことができる。
【００５７】
また、設置した状態における作業用テント１００の形状が、側方から見た状態において上記のような山形の形状となるようにすることにより、路上機器５００の天板と天幕部材１１０との間の隙間を小さく抑えることができるので、路上機器５００に対する作業をおこなう作業者の正面側から雨が吹き込むことを抑えることができる。これにより、作業者の作業性を低下させることを回避し、雨天時における作業効率の向上を図ることができる。
【００５８】
また、第１の支柱１２０と第３の支柱１４０とによって天幕部材１１０を張った後に第２の支柱１３０を設置することにより、路上機器５００の上側に天幕部材１１０を張った状態で扉５０２を開けることができる。これにより、筐体５０１内に雨を当てることなく、第２の支柱１３０を設置することができる。第２の支柱１３０の設置に際しては、ストッパーを用いて扉５０２を開放した状態で固定してもよい。
【００５９】
第２の支柱１３０は、扉５０２の上側から当該扉５０２に係合部１３２を嵌め込むことによって固定する。これにより、扉５０２は係合部１３２によって押さえられるため、たとえば、作業者や作業工具などがストッパーにぶつかってストッパーが扉５０２から外れてしまっても、扉５０２が意図せずに閉まってしまうことを防止できる。そして、これにより、作業者が扉５０２に手や体を挟んでしまうことを確実に回避し、作業者の安全性を確保することができる。
【００６０】
図９は、この発明にかかる実施の形態の作業用テント１００の別の構成を示す説明図である。この発明にかかる実施の形態の作業用テント１００において、天幕部材１１０は、無地のシート状部材によって実現するものに限らない。たとえば、図９に示すように、「作業中」などの案内表示９００が設けられていてもよい。
【００６１】
案内表示９００は、天幕部材１１０にあらかじめ印刷したり縫い付けるなどして固定されていてもよく、作業内容に応じて変更できるようにしてもよい。具体的に、天幕部材１１０に、ビニールなどを用いて形成された透明なポケットを設け、作業の都度、当該ポケット内に、作業内容や作業予定などを記載したシートを入れることによって案内表示９００を実現するようにしてもよい。
【００６２】
このような案内表示９００を設けることによって、路上機器５００の周辺を通行する歩行者や自転車の運転者に対して、作業を中断して説明などをおこなうことなく、作業用テント１００内でおこなっている作業内容や作業予定を伝えることができる。これにより、歩行者や自転車の運転者の理解を得やすくして、作業効率の向上を期待することができる。
【００６３】
また、天幕部材１１０は、無地一色のシート状部材によって実現するものに限らない。天幕部材１１０は、たとえば、黄色と黒色のストライプ地のシート状部材によって実現してもよい。このように、注意を引きやすい配色を天幕部材１１０に施すことにより、路上機器５００の周辺を通行する歩行者や自転車の運転者に対して、路上機器５００に対する作業中であることを容易かつ確実に報知することができる。これにより、路上機器５００の周辺を通行する歩行者や自転車の運転者が、作業現場に突っ込んだりすることを防止して、路上機器５００の周辺を通行する歩行者や自転車の運転者の安全を確保することができる。
【００６４】
また、路上機器５００の情報に張り渡される天幕部材１１０に、注意を引きやすい配色を施すことにより、歩行者や自転車の運転者に対して、路上機器５００に接近する前から注意を喚起することができる。これにより、路上機器５００の周辺を通行する歩行者や自転車の運転者が、作業現場に突っ込んだりすることを防止して、路上機器５００の周辺を通行する歩行者や自転車の運転者の安全を確保することができる。
【００６５】
上述した実施の形態においては、設置した状態における作業用テント１００の形状が、側方から見た状態において上記のような山形の形状となるように設置する例について説明したが、作業用テント１００の形状はこれに限るものではない。図１０は、この発明にかかる実施の形態の作業用テント１００の別の設置例を示す説明図である。
【００６６】
図１０に示すように、作業用テント１００は、側方から見た状態において、第１の支柱１２０側がもっとも高く、第３の支柱１４０側がもっとも低くなるような斜面を形成する形状に設置してもよい。このように設置することにより、路上機器５００の天板と天幕部材１１０との間に広い隙間を確保することができる。
【００６７】
これにより、路上機器５００に対する作業をおこなう作業者の正面側からの風が吹き込みやすくなるので、真夏日などに路上機器５００に対する作業をおこなう場合の作業環境の向上を図ることができる。そして、これによって、作業者の作業性を低下させることを回避し、直射日光を遮り、晴天時における作業効率の向上を図ることができる。
【００６８】
この場合、第１の支柱１２０は、長さ寸法が、第２の支柱１３０の長さ寸法より短い寸法から、第２の支柱１３０の長さ寸法より長い寸法までの範囲で調整可能とする伸縮機構１００１を備えていてもよい。これにより、現場の環境などに応じて、図２および図６に示したような山形の形状と、図１０に示したような連続した斜面の形状と、を切り替えることができる。
【００６９】
第３の支柱１４０が備える伸縮構造は、さらに、第１の支柱１２０および第２の支柱１３０が備えていてもよい。第１の支柱１２０や第２の支柱１３０を伸縮構造とすることにより、作業状況に応じて、側方から見た状態の作業用テント１００の形状を、図６に示すような山形の形状や、図１０に示すような一続きの斜面の形状とすることができる。
【００７０】
これにより、作業環境に応じて複数種類の作業用テント１００を用意することなく、１つの作業用テント１００を様々な作業環境に適用させることができる。そして、これにより、作業者は、１つの作業用テント１００を運搬し、管理すればよいため、作業用テント１００の運搬や管理にかかる作業者の負担軽減を図ることができる。
【００７１】
以上説明したように、この発明にかかる実施の形態の作業用テント１００は、防水性を有する材料によって形成されたシート状をなす天幕部材１１０と、棒形状をなし、一端が天幕部材１１０に連結され、他端が路上機器５００の筐体５０１天面５０１ａ上に設置される第１の支柱１２０と、棒形状をなし、一端が天幕部材１１０に連結され、他端に路上機器５００の扉５０２と係合する係合部１３２を備えた一対の第２の支柱１３０と、第１の支柱１２０および第２の支柱１３０より長い棒形状をなし、一端が第２の支柱１３０を間にして第１の支柱１２０とは反対側において天幕部材１１０に連結された第３の支柱１４０と、を備えたことを特徴としている。
【００７２】
この発明にかかる実施の形態の作業用テント１００によれば、路上機器５００の筐体５０１を作業用テント１００の躯体の一部として利用することにより、過剰に大きな設置場所を確保することなく、雨天時などに際しての路上機器５００に対する作業に十分な空間を確保することができる。
【００７３】
これにより、歩道における歩行者や自転車などの通行に支障を来すことなく、雨天時などに際しての作業を余裕をもっておこなうことができるので、路上機器５００に対する作業効率の向上を図ることができる。また、作業用テント１００を日差しの強い環境下で使用することにより、日差しを遮り、作業者が熱中症になることを回避することができるので、これによっても路上機器５００に対する作業効率の向上を図ることができる。
【００７４】
また、この発明にかかる実施の形態の作業用テント１００によれば、路上機器５００の扉５０２に係合させる第２の支柱１３０により、不用意に扉５０２が閉まらないようにするストッパーを実現することができる。これにより、不用意に扉５０２が閉まらないようにするストッパーを別途設置したり片付けたりする作業を不要とし、路上機器５００に対する作業効率の向上を図ることができ、かつ、作業者の安全性を確保することができる。
【００７５】
このように、この発明にかかる実施の形態の作業用テント１００によれば、歩行者や自転車の通行に支障を来すことなく、天候に左右されない良好な作業環境を確保することができる。これによって、路上機器５００に対する作業効率の向上を図ることができる。
【００７６】
また、この発明にかかる実施の形態の作業用テント１００は、第１の支柱１２０、第２の支柱１３０および第３の支柱１４０の少なくともいずれか一つが、長さ寸法の調整が可能であることを特徴としている。
【００７７】
この発明にかかる実施の形態の作業用テント１００によれば、路上機器５００の筐体５０１のサイズや路上機器５００周辺の環境などに応じて、適宜、第１の支柱１２０、第２の支柱１３０および第３の支柱１４０の長さ寸法を調整することにより、路上機器５００に対する作業に十分な空間を状況に応じて確保することができる。これにより、作業用テント１００の設置にかかる自由度を確保し、路上機器５００に対する作業効率の向上を図ることができる。
【００７８】
また、この発明にかかる実施の形態の作業用テント１００は、第１の支柱１２０の他端に設けられた永久磁石２０１を備えたことを特徴としている。
【００７９】
この発明にかかる実施の形態の作業用テント１００によれば、第１の支柱１２０の他端に永久磁石２０１を設けることにより、主に鉄などの、磁石２０１にくっつく材料を用いて形成される路上機器５００の筐体５０１に、第１の支柱１２０を容易かつ確実に固定することができる。これにより、作業者が作業用テント１００に接触した場合や作業用テント１００に風が吹き付ける環境において、作業用テント１００を安定して設置することができる。
【００８０】
また、この発明にかかる実施の形態の作業用テント１００は、第２の支柱１３０の間に架け渡される棟木部材１３１を備えたことを特徴としている。
【００８１】
この発明にかかる実施の形態の作業用テント１００によれば、第１の支柱１２０と第３の支柱１４０との間に立設される第２の支柱１３０の間に棟木部材１３１を架け渡すことにより、路上機器５００の上方において天幕部材１１０を確実に張り渡すことができる。これにより、路上機器５００の正面側に、路上機器５００に対する作業に十分な空間を確保することができる。
【００８２】
また、この発明にかかる実施の形態の作業用テント１００によれば、作業用テント１００の不使用時には、棟木部材１３１を基準として、当該棟木部材１３１に天幕部材１１０を巻き付けて収容・保管することができる。これにより、不使用時における作業用テント１００の取扱い性を高めることができる。
【産業上の利用可能性】
【００８３】
以上のように、この発明にかかる作業用テントは、路上機器に対する作業に用いる作業用テントに有用であり、特に、雨天時における路上機器に対する作業に用いる作業用テントに適している。
【符号の説明】
【００８４】
１００  作業用テント
１１０  天幕部材
１２０  第１の支柱
１３０  第２の支柱
１４０  第３の支柱
【図１】
2020012231.tif 000003
【図２】
2020012231.tif 000004
【図３】
2020012231.tif 000005
【図４】
2020012231.tif 000006
【図５】
2020012231.tif 000007
【図６】
2020012231.tif 000008
【図７】
2020012231.tif 000009
【図８】
2020012231.tif 000010
【図９】
2020012231.tif 000011
【図１０】
2020012231.tif 000012